(57)【要約】【課題】反射ミラーの位置決めを容易にすることで、製造効率の悪化や製造コストの上昇を招くことなく光源装置の小型化及び光出力の低下の抑制を可能とする技術を提供する。【解決手段】光源装置は、平行に進行する出射光を出射する複数の発光素子を含む光源部と、出射光を反射する複数の反射ミラーと、反射ミラーによる反射光が出射光の間隔よりも小さい間隔で平行に進行するように複数の反射ミラーを支持するミラー支持体と、を有する。ミラー支持体は、反射ミラーの面のうち出射光を反射する反射面とは異なる複数の面を支持する。【選択図】図１
2017050133.tif 000002
【特許請求の範囲】
【請求項１】
平行に進行する出射光を出射する複数の発光素子を含む光源部と、
前記出射光を反射する複数の反射ミラーと、
前記反射ミラーによる反射光が前記出射光の間隔よりも小さい間隔で平行に進行するように複数の前記反射ミラーを支持するミラー支持体と、を有し、
前記ミラー支持体は、前記反射ミラーの面のうち前記出射光を反射する反射面とは異なる複数の面を支持することを特徴とする光源装置。
【請求項２】
前記反射ミラーは、前記反射面に対向する裏面と、前記反射面及び前記裏面とは異なる側面とを有し、
前記ミラー支持体は、前記反射ミラーの前記裏面を支持する第一支持面、及び前記反射ミラーの前記側面を支持する第二支持面を有することを特徴とする請求項１に記載の光源装置。
【請求項３】
前記ミラー支持体は、前記第一支持面及び前記第二支持面に挟まれる領域において、
前記反射ミラーと離間していることを特徴とする請求項２に記載の光源装置。
【請求項４】
前記第一支持面は、前記反射ミラーの前記裏面の一部を支持し、
前記第二支持面は、前記反射ミラーの前記側面の一部を支持し、
前記ミラー支持体は、前記反射ミラーの前記裏面のうちの前記第一支持面に支持されない領域と、前記反射ミラーの前記側面のうちの前記第二支持面に支持されない領域とを含む前記反射ミラーの角部を収容する溝部を有することを特徴とする請求項２又は３に記載の光源装置。
【請求項５】
平行に進行する出射光を反射する複数の反射ミラーを支持するミラー支持体であって、
前記反射ミラーの面のうち前記出射光を反射する反射面とは異なる複数の面を支持する複数の支持面を有することを特徴とするミラー支持体。
【請求項６】
複数の前記支持面に挟まれる領域において、前記反射ミラーの角部を収容する溝部を有することを特徴とする請求項５に記載のミラー支持体。
【発明の詳細な説明】
【技術分野】
【０００１】
本発明は、光源装置及びミラー支持体に関する。
【背景技術】
【０００２】
従来、複数の半導体レーザ素子等の半導体発光素子を光源として用い、各光源からの出射光の光軸上に反射ミラーを配置した光源装置が知られている。
【０００３】
このような光源装置において、各光源からの出射光の光軸上における反射ミラーの位置を調整することで、出射光の間隔よりも狭い間隔で各出射光を反射させる技術がある（例えば特許文献１）。この技術によれば、出射光の間隔に比べて反射光の間隔を狭めることができるため、反射光を集光するレンズを小さくすることができ、光源装置の小型化が可能になるという利点がある。
【先行技術文献】
【特許文献】
【０００４】
【特許文献１】特開２０１２−２１５６３４号公報
【発明の概要】
【発明が解決しようとする課題】
【０００５】
上述の技術において、各出射光を出射光の間隔よりも狭い間隔で反射するためには、各反射ミラーの位置が重要となる。具体的に図１３及び図１４を参照して説明する。なお、図１３及び図１４では、便宜的に半導体レーザ素子を３つ示している。
【０００６】
図１３に示す光源装置２００は、複数の半導体レーザ素子２０３、コリメータレンズ２０５、及び反射ミラー２０７を備える。各反射ミラー２０７は、ｘ方向に半導体レーザ素子２０３の間隔と同じ間隔ｄ１だけ離れ、ｙ方向に間隔ｄ２だけ離れて配置されている。各半導体レーザ素子２０３からの出射光２３０は、コリメータレンズ２０５により平行光に変換され、そして反射ミラー２０７により反射され反射光２４０となる。
【０００７】
なお、出射光２３０の光軸と平行な方向をｙ方向、ｙ方向に直交する方向をｘ方向としている。
【０００８】
ここで、ｙ方向における反射ミラー２０７の間隔ｄ２は、半導体レーザ素子２０３の間隔ｄ１よりも大きい。そのため、反射光２４０の間隔（図１１の場合ではｄ２）も、出射光２３０の間隔ｄ１よりも大きくなる。その結果、反射光２４０を集光するレンズが大きくなり、光源装置の小型化を図ることができない。
【０００９】
また、図１４に示す光源装置３００は、複数の半導体レーザ素子３０３、コリメータレンズ３０５、及び反射ミラー３０７ａ、３０７ｂ、３０７ｃを備える。光源装置３００は、光源装置２００と以下の点で異なる。
【００１０】
図１４に示すように、各反射ミラー３０７ａ、３０７ｂ、３０７ｃは、ｙ方向において半導体レーザ素子３０３の間隔ｄ１より小さい間隔ｄ３だけ離れて配置されている。そして、反射ミラー３０７ａ及び３０７ｂはｘ方向に間隔ｄ１だけ離れて配置されているのに対し、反射ミラー３０７ｂ及び３０７ｃは間隔ｄ１より小さいｄ４だけ離れて配置されている。即ち、反射ミラー３０７ｃは反射ミラー３０７ｂ側に寄って配置されている。そのため、出射光３３０ｃは反射ミラー３０７ｃで反射されずに直進してしまう。その結果、出射光３３０ｃが集光されず、光源装置３００の光出力が低下するという問題が生じる。
【００１１】
以上のように、反射ミラーの位置によっては、光源装置を小型化することができないという問題や、光出力の低下といった問題が生じる。そのため、各反射ミラーを所望の位置に精度よく配置する技術が求められる。一方で、各反射ミラーの配置に複雑な製造工程を要求することは、製造効率の悪化、さらには製造コストの上昇に繋がり望ましくない。
【００１２】
本発明は、上記の課題に鑑み、反射ミラーの位置決めを容易にすることで、製造効率の悪化や製造コストの上昇を招くことなく光源装置の小型化及び光出力の低下の抑制を可能とする技術を提供することを目的とする。
【課題を解決するための手段】
【００１３】
本発明の光源装置は、
平行に進行する出射光を出射する複数の発光素子を含む光源部と、
前記出射光を反射する複数の反射ミラーと、
前記反射ミラーによる反射光が前記出射光の間隔よりも小さい間隔で平行に進行するように複数の前記反射ミラーを支持するミラー支持体と、を有し、
前記ミラー支持体は、前記反射ミラーの面のうち前記出射光を反射する反射面とは異なる複数の面を支持することを特徴とする。
【００１４】
上記構成によれば、反射ミラーは、複数の面がミラー支持体に支持されるよう位置決めされる。即ち、反射ミラーの位置決めが容易になり、その結果、製造効率の悪化や製造コストの上昇を招くことなく光源装置の小型化及び光出力の低下の抑制を実現できる。
【００１５】
また、上記構成において、
前記反射ミラーは、前記反射面に対向する裏面と、前記反射面及び前記裏面とは異なる側面とを有し、
前記ミラー支持体は、前記反射ミラーの前記裏面を支持する第一支持面、及び前記反射ミラーの前記側面を支持する第二支持面を有するものとしても構わない。
【００１６】
また、上記構成において、
前記ミラー支持体は、前記第一支持面及び前記第二支持面に挟まれる領域において、
前記反射ミラーと離間しているものとしても構わない。
【００１７】
また、上記構成において、
前記第一支持面は、前記反射ミラーの前記裏面の一部を支持し、
前記第二支持面は、前記反射ミラーの前記側面の一部を支持し、
前記ミラー支持体は、前記反射ミラーの前記裏面のうちの前記第一支持面に支持されない領域と、前記反射ミラーの前記側面のうちの前記第二支持面に支持されない領域とを含む前記反射ミラーの角部を収容する溝部を有するものとしても構わない。
【００１８】
上記構成によれば、反射ミラーの裏面がミラー支持体の支持面に対し傾いた状態で固定されることを抑制できる。詳細は、発明を実施するための形態の欄で説明する。
【００１９】
また、本発明のミラー支持体は、
平行に進行する出射光を反射する複数の反射ミラーを支持するミラー支持体であって、
前記反射ミラーの面のうち前記出射光を反射する反射面とは異なる複数の面を支持する複数の支持面を有することを特徴とする。
【００２０】
上記構成によれば、反射ミラーの位置決めが容易になり、製造効率の悪化や製造コストの上昇を招くことなく光源装置の小型化及び光出力の低下の抑制を実現できる。
【００２１】
また、上記構成において、
複数の前記支持面に挟まれる領域において、前記反射ミラーの角部を収容する溝部を有するものとしても構わない。
【発明の効果】
【００２２】
本発明の光源装置及びミラー支持体によれば、反射ミラーの位置決めが容易になり、製造効率の悪化や製造コストの上昇を招くことなく光源装置の小型化及び光出力の低下の抑制を実現できる。
【図面の簡単な説明】
【００２３】
【図１】本発明の第一実施形態である光源装置を模式的に示す図である。
【図２】本発明の第一実施形態であるミラー支持体を模式的に示す全体斜視図である
【図３】本発明の第一実施形態である光源装置を模式的に示す図の一部を拡大した図である。
【図４】本発明の第二実施形態であるミラー支持体を模式的に示す図である。
【図５】本発明の第二実施形態であるミラー支持体を模式的に示す図の一部を拡大した図である。
【図６】比較例のミラー支持体を模式的に示す図である。
【図７】本発明の第二実施形態であるミラー支持体を模式的に示す図である。
【図８】本発明の別実施形態であるミラー支持体を模式的に示す図である。
【図９】本発明の別実施形態であるミラー支持体を模式的に示す図である。
【図１０】本発明の別実施形態であるミラー支持体を模式的に示す図である。
【図１１】本発明の別実施形態であるミラー支持体を模式的に示す図である。
【図１２】本発明の別実施形態であるミラー支持体を模式的に示す図である。
【図１３】本発明の課題を説明するための模式図である。
【図１４】本発明の課題を説明するための模式図である。
【発明を実施するための形態】
【００２４】
本発明の光源装置及びミラー支持体につき、図面を参照して説明する。なお、各図において図面の寸法比と実際の寸法比は必ずしも一致しない。
【００２５】
（第一実施形態）
以下、第一実施形態について説明する。
【００２６】
［光源装置の構成］
図１に示すように、光源装置１は、光源部１１、反射ミラー１５、及びミラー支持体１７を備える。
【００２７】
光源部１１は、レーザ光を出射する複数の半導体レーザ素子１１ａ、及び、半導体レーザ素子１１ａからのレーザ光を平行光に変換する複数のコリメータレンズ１１ｂを含む。以下では、半導体レーザ素子１１ａからのレーザ光を出射光Ｌ１と呼ぶ。
【００２８】
なお、出射光Ｌ１の光軸と平行な方向をｙ方向、ｙ方向に直交する方向をｘ方向としている。
【００２９】
半導体レーザ素子１１ａは、行及び列をなして配列される。行方向は図１におけるｘ方向であり、列方向はｚ方向である。本実施形態では、一例として、４行６列に半導体レーザ素子１１ａが配列されている。また、本実施形態では、半導体レーザ素子１１ａは、青色光（例えば、波長が４３０〜４７０ｎｍの光）を発している。なお、光源部１１は、青色光と異なる波長帯の光を発する半導体レーザ素子により構成されても構わないし、ＬＥＤ素子により構成されても構わないし、他の固体光源素子により構成されていても構わない。
【００３０】
コリメータレンズ１１ｂは、各半導体レーザ素子１１ａからの出射光Ｌ１の光軸上に配置される。即ち、コリメータレンズ１１ｂは、半導体レーザ素子１１ａと同数配置されている。なお、光源部１１は、コリメータレンズ１１ｂを備えないものとしても構わない。
【００３１】
反射ミラー１５は、コリメータレンズ１１ｂにより平行化された出射光Ｌ１を反射して反射光Ｌ２にする。反射光Ｌ２は、集光レンズ１６により集光され、必要に応じて種々の光学系を介して光源装置１の外部へ出射される。
【００３２】
反射ミラー１５は、半導体レーザ素子１１ａの列数と同数存在する。即ち、同じ列に存在する半導体レーザ素子１１ａは、同一の反射ミラー１５によって反射されるようになっている。本実施形態では、６列の半導体レーザ素子１１ａが配置されており、６個の反射ミラー１５が配置されている。各反射ミラー１５の位置については、後述する。なお、反射ミラーは、一例として、ガラスからなる基板の表面に高い反射特性を有する金属膜または誘電体多層膜を蒸着したものである。
【００３３】
ミラー支持体１７は、各反射ミラー１５を平行に支持する。具体的には、ミラー支持体１７は、出射光Ｌ１に対して反射ミラーの反射面１５Ａの法線方向が一定の角度θをなすように反射ミラー１５を支持する。本実施形態では、一例として、ミラー支持体１７は６個の反射ミラー１５を、角度θが４５度となるように支持する。
【００３４】
また、ミラー支持体１７は、各反射ミラー１５を、出射光Ｌ１を反射可能な位置であって、かつ、反射光Ｌ２の間隔が出射光Ｌ１の間隔よりも狭くなるような位置に支持する。以下、図２及び図３を参照して具体的に説明する。なお、ミラー支持体は、一例としてアルミ合金等の金属からなり、金属を溶融し高圧力で金型に注入するダイキャスト、または、材料を高圧力で金型から押し出す押出成形等、周知の金属加工によって製造される。
【００３５】
［ミラー支持体の構成］
図２を参照してミラー支持体１７について説明する。図２は、ミラー支持体１７を模式的に示す全体斜視図である。なお、図２では、説明の都合上、１つの反射ミラーが支持されておらず、５つの反射ミラー１５が支持された状態を示し、各反射ミラー１５の反射面１５Ａに斜線を付している。
【００３６】
図２に示すように、反射ミラー１５は、直方体の形状をなす。ミラー支持体１７は、各反射ミラー１５の反射面１５Ａに対向する裏面１５Ｂ（図示せず）を支持する第一支持面１７Ａと、各反射ミラー１５の側面１５Ｃ（図示せず）を支持する第二支持面１７Ｂを有する。ミラー支持体１７は、第一支持面１７Ａ及び第二支持面１７Ｂのそれぞれを、反射ミラー１５の数（本実施形態では６個）有する。
【００３７】
図３を参照してミラー支持体１７の第一支持面１７Ａ及び第二支持面１７Ｂについてさらに説明を続ける。なお、図３では説明の都合上、一つの反射ミラー１５についてはミラー支持体１７に支持されていない状態を示している。
【００３８】
図３に示すように、ミラー支持体１７は、各反射ミラー１５を、反射面１５Ａの中央に出射光Ｌ１が入射するように支持する。即ち、隣り合う第一支持面１７Ａの中央がｘ方向に出射光Ｌ１と同じ間隔ｄ１だけ離れるよう、ミラー支持体１７に各第一支持面１７Ａが形成される。各出射光Ｌ１は反射ミラー１５によって反射されるため、出射光Ｌ１が反射されない結果、集光される光束が低密度化し、光源装置１の光出力が低下するといった事態を防ぐことができる。
【００３９】
また、ミラー支持体１７は、各反射ミラー１５を、反射光Ｌ２の間隔が出射光Ｌ１の間隔ｄ１よりも小さくなるように支持する。即ち、隣り合う第一支持面１７Ａの中央が、ｙ方向に、出射光Ｌ１の間隔ｄ１よりも小さいｄ５だけ離れるよう、ミラー支持体１７に各第一支持面１７Ａが形成される。これにより、反射光Ｌ２の間隔（本実施形態ではｄ５）が出射光Ｌ１の間隔に比べて小さくなるため、反射光Ｌ２を集光する図示しない集光レンズを小さくすることができ、光源装置１の小型化を実現できる。
【００４０】
また、ミラー支持体１７には、各第一支持面１７Ａと直交するように第二支持面１７Ｂが形成されている。即ち、ミラー支持体１７には、第一支持面１７Ａ及び第二支持面１７Ｂにより直角をなす角部１７１が形成されている。そして、上述のように、反射ミラー１５は直方体の形状をなし、反射ミラー１５の隣り合う各面は直交している。即ち、反射ミラー１５にも裏面１５Ｂ及び側面１５Ｃにより直角をなす角部１５１が形成されている。
【００４１】
このように、反射ミラー１５及びミラー支持体１７の双方に、同一の角度をなす角部１５１、１７１が形成される。これにより、各反射ミラー１５は、角部１５１が反射ミラー１７の角部１７１と合わさるように、即ち、裏面１５Ｂが第一支持面１７Ａに支持され、側面１５Ｃが第二支持面１７Ｂに支持されるように位置決めされる。そのため、反射ミラー１５の位置決めに煩雑な工程を要求されず、各反射ミラー１５の位置決めが容易になる。
【００４２】
（第二実施形態）
以下、第二実施形態について説明する。なお、第二実施形態は、第一実施形態とミラー支持体の構成のみ異なりその他の構成は同じである。以下ではミラー支持体の構成について説明する。
【００４３】
図４に第二実施形態におけるミラー支持体１９を示す。ミラー支持体１９には、第一実施形態と同様に、反射ミラー１５（図示略）の裏面１５Ｂ（図示略）を支持する第一支持面１９Ａ、及び、側面１５Ｃ（図示略）を支持する第二支持面１９Ｂが、直角をなすように形成されている。ミラー支持体１９には、さらに、各第一支持面１９Ａ及び第二支持面１９Ｂを接合する曲面１９Ｃが形成されている。以下、図５を参照して曲面１９Ｃについて詳細に説明する。
【００４４】
図５に示すように、ミラー支持体１９の第一支持面１９Ａ及び第二支持面１９Ｂは、直接連結されず、曲面１９Ｃを介して連結されている。
【００４５】
より具体的には、第一支持面１９Ａ及び第二支持面１９Ｂのそれぞれを交線２１に達するまで延長させたとする。第一支持面１９Ａと交線２１の間の面を延長面２３Ａとし、第二支持面１９Ｂと交線２１の間の面を延長面２３Ｂとすると、曲面１９Ｃは、延長面２３Ａ及び２３Ｂに対し、ミラー支持体１９側に形成されている。このように、ミラー支持体１９には、曲面１９Ｃによりミラー支持体１９側に窪んだ溝部２４が形成されている。
【００４６】
なお、本実施形態では、図４に示すように反射ミラー１５の数だけミラー支持体１９に曲面１９Ｃが形成されるが、その個数はこれに限らず自由に決定できる。
【００４７】
続いて、図６及び図７を参照してミラー支持体１９に曲面１９Ｃを形成する理由について説明する。
【００４８】
第一実施形態では、反射ミラー１５には、裏面１５Ｂ及び側面１５Ｃにより角部１５１が形成されるとともに、ミラー支持体１７には、第一支持面１７Ａ及び第二支持面１７Ｂにより角部１７１が形成され、二つの角部１５１、１７１が合わさるように反射ミラー１５が位置決めされると説明した（図３参照）。ところで、上述のように、反射ミラー１５は、一例としてガラス等の基板の表面に金属膜または誘電体多層膜を蒸着することによって製造され、ミラー支持体１７は、アルミ合金等の金属にダイキャスト、押出成形等の周知の金属加工を施すことによって製造される。
【００４９】
ここで、上記の製造方法により反射ミラー１５及びミラー支持体１７を製造した場合、加工の精度によっては、反射ミラー１５及びミラー支持体１７の一方又は双方に、角部１５１、１７１が形成されず、代わりに曲面が形成される場合がある。以下、図６を参照して、反射ミラー１５及びミラー支持体１７の一方または双方に、角部１５１、１７１に代わって曲面が形成された場合に生じる問題について説明する。
【００５０】
まず、図６に比較例のミラー支持体２５を示す。図６（ａ）に示すように、比較例のミラー支持体２５の支持面２５Ａ及び２５Ｂは直接連結されず、曲面２５Ｃを介して連結されている。
【００５１】
より具体的には、支持面２５Ａ及び２５Ｂのそれぞれを交線２７に達するまで延長させ、支持面２５Ａと交線２７の間の面を延長面２７Ａとし、支持面２５Ｂと交線２７の間の面を延長面２７Ｂとすると、曲面２５Ｃは、延長面２７Ａ及び２７Ｂに対し、反射ミラー１５側に形成されている。即ち、比較例のミラー支持体２５には、ミラー支持体２５側に窪む溝部が形成されていない。このように、比較例のミラー支持体２５では、支持面２５Ａ及び２５Ｂを連結する曲面２５Ｃの形成される位置が、第二実施形態のミラー支持体１９と異なっている。一例として、ミラー支持体２５には角部に代わりに曲面２５Ｃ（例えばＲ＝０．２ｍｍ）が形成されている。
【００５２】
一方、図６（ａ）に示すように、反射ミラー１５には角部１５１が形成されている。
【００５３】
ここで、反射ミラー１５はミラー支持体２５に図示しない接着剤により接着される。また、接着の際、反射ミラー１５は、角部１５１が交線２７に向かうように図示しない治具によって押し当てられる。そして、上述のように、反射ミラー１５には角部１５１が形成されるのに対し、ミラー支持体２５には曲面２５Ｃが形成されている。そのため、ミラー支持体２５の曲面２５Ｃと反射ミラー１５の角部１５１とが合わず、図６（ａ）及び（ｂ）に示すように、反射ミラー１５の裏面１５Ｂが支持面２５Ａに非平行な状態で接着されてしまう場合がある。
【００５４】
具体的には、図６（ａ）に示すように、反射ミラー１５の反射面１５Ａの法線方向が、出射光Ｌ１の光軸に対し一定の角度θ（本実施形態では４５度）より大きい角度θ１（図示略）をなして接着されたり、図６（ｂ）に示すように、角度θより小さい角度θ２（図示略）をなして接着されてしまう場合がある。このように、反射ミラー１５が一定の角度θからズレて固定された場合、図６（ａ）及び（ｂ）に示すように、反射光Ｌ２の進行方向がばらつく。その結果、反射光Ｌ２を高密度に集光することができず、光源装置１の光出力が低下するという問題が生じる。
【００５５】
また、図６（ｃ）及び（ｄ）に示すように、反射ミラー１５が、ミラー支持体２５の支持面２５Ａ及び２５Ｂのうちの一方の支持面のみに接着されてしまう場合もある。図６（ｃ）は反射ミラー１５が支持面２５Ａに接着され、支持面２５Ｂには接着されていない状態である。図６（ｄ）は反射ミラー１５が支持面２５Ｂに接着され、支持面２５Ａには接着されていない状態である。
【００５６】
このように、反射ミラー１５がミラー支持体２５の支持面２５Ａ及び２５Ｂのうち一方の支持面のみに接着される場合、次のような問題が生じる。即ち、反射ミラー１５が一方の支持面のみに接着される場合、双方の支持面に接着される場合に比べ、反射ミラー１５及びミラー支持体２５の接触面積が小さくなるため、反射ミラー１５の固定が不安定になる。そのため、何らかの衝撃を与えられた場合に、反射ミラー１５がミラー支持体２５から剥離されてしまい、光源装置１の光出力の低下、さらには光源装置１の損傷という問題が生じる。
【００５７】
なお、上記の問題は、反射ミラー及びミラー支持体の双方に、角部が形成されず、代わりに半径の異なる曲面が形成される場合においても同様に起こり得る。例えば、ミラー支持体にＲ＝０．２ｍｍの曲面が形成され、反射ミラーにＲ＝０．１ｍｍの曲面が形成された場合、図６（ａ）〜（ｄ）と同様の問題が起こり得る。また、反射ミラーに角部に代わり曲面が形成され、ミラー支持体に角部が形成される場合には、少なくとも図６（ｃ）及び（ｄ）と同様の問題が起こり得る。
【００５８】
これに対し、本実施形態のミラー支持体１９には、図５に示したように曲面１９Ｃが形成されており、これにより、ミラー支持体１９側に窪んだ溝部２４が形成されている。そのため、図７に示すように、ミラー支持体１９は、第一支持面１９Ａに反射ミラー１５の裏面１５Ｂの一部を支持し、第二支持面１９Ｂに側面１５Ｃの一部を支持し、そして、反射ミラー１５の角部１５１を曲面１９Ｃで構成された溝部２４に収容する。これにより、ミラー支持体１９は、反射ミラー１５の裏面１５Ｂが第一支持面１９Ａに平行となるように反射ミラー１５を支持することができ、その結果、各反射ミラー１５を平行に支持することができる。
【００５９】
即ち、本実施形態によれば、反射ミラー及びミラー支持体の一方に角部が形成されず、代わりに曲面が形成される場合や、反射ミラー及びミラー支持体の双方に角部が形成されず、代わりに半径の異なる曲面が形成される場合であっても、各反射ミラーを平行に支持することができ、その結果、反射光Ｌ２の進行方向のばらつきを抑制することができるため、光源装置１の光出力の低下を抑制できる。さらに、本実施形態によれば、ミラー支持体１９には曲面１９Ｃで構成された溝部２４が形成される。即ち、多数の面ではなく一つの曲面１９Ｃにより溝部２４が形成されている。これにより、溝部２４の形成を容易にできる。また、溝部２４により十分な空間が設けられるため、反射ミラー１５を接着する接着剤が必要以上に載置されてしまった場合でも、溝部２４に接着剤を収めることができる。
【００６０】
［別実施形態］
なお、光源装置は、上記の実施形態の構成に限定されるものではなく、本発明の要旨を逸脱しない範囲内において種々変更を加え得ることは勿論である。例えば、以下の別実施形態に係る構成を任意に選択して、上記の実施形態に係る構成に採用してもよいことは勿論である。
【００６１】
〈１〉第一実施形態では、反射ミラー１５は、反射面１５Ａに対向する裏面１５Ｂ及び側面１５Ｃをミラー支持体１７の第一支持面１７Ａ及び第二支持面１７Ｂに支持させたがこれに限らない。例えば、図８に示すミラー支持体２７のように、反射ミラー１５の裏面１５Ｂ、及び、側面１５Ｃに対向する側面１５Ｄを支持するように第一支持面２７Ａ及び第二支持面２７Ｂを形成しても構わない。より一般的に言えば、反射ミラーの反射面以外の直角をなす二つの面を支持するようにミラー支持体に二つの支持面が形成されれば構わない。第二実施形態においても同様である。
【００６２】
〈２〉第一実施形態では、ミラー支持体１７には二つの第一支持面１７Ａ及び第二支持面１７Ｂが形成されているがこれに限らない。例えば、図９に示すミラー支持体２９のように、半円形状からなる一つの支持面２９Ａが形成されていてもよい。この場合、反射ミラー１５の対向する側面１５Ｃ及び１５Ｄが支持面２９Ａに支持されていても良い。より一般的に言えば、ミラー支持体には、反射ミラーの反射面以外の複数の面が支持されるように支持面が形成されればよい。
【００６３】
〈３〉第二実施形態では、図５に示すように、ミラー支持体１９には曲面１９Ｃで構成された溝部２４が形成されるが、溝部の形状はこれに限らない。例えば図１０に示すミラー支持体３１のように、第一支持面３１Ａは反射ミラー１５の裏面１５Ｂの一部の領域を支持し、第二支持面３１Ｂは側面１５Ｃの全部の領域を支持し、曲面３１Ｃが半円形状をなしても構わない。また、第一支持面３３Ａは裏面１５Ｂの全部の領域を支持し、第二支持面３３Ｂは側面１５Ｃの一部の領域を支持し、曲面３３Ｃが半円形状をなしても構わない。また、例えば２以上の平面により溝部が形成されても構わないし、平面と曲面を組み合わせて溝部が形成されても構わない。より一般的に言えば、ミラー支持体１９は、第一支持面１９Ａ及び第二支持面１９Ｂに挟まれる領域において、反射ミラー１５と離間するように構成されれば溝部の形状は問われない。なお、曲面１９Ｃ、曲面３１Ｃ、及び曲面３３Ｃが「第一支持面及び第二支持面に挟まれる領域」に対応する。
【００６４】
〈４〉また、ミラー支持体１９に形成される溝部２４の大きさも、図５に示した大きさとは限らず、反射ミラー１５の角部１５１を収納できる大きさであれば構わない。
【００６５】
〈５〉本実施形態では、図３に示すように、隣り合う第一支持面１７Ａの中央が、ｘ方向に、出射光Ｌ１の間隔と同じｄ１だけ離れるように、ミラー支持体１７に第一支持面１７Ａが形成されるがこれに限らない。例えば図１１の反射ミラー１５ａのように、反射面１５Ａの中央より下方の位置で出射光Ｌ１を反射するように配置されても構わない。この場合、隣り合う第一支持面１７Ａの中央は、ｘ方向に、出射光の間隔ｄ１よりも大きいｄ６だけ離れる。また、図１１の反射ミラー１５ｂのように、反射面１５Ａの中央より上方の位置で出射光Ｌ１を反射するように配置されても構わない。この場合、隣り合う第一支持面１７Ａの中央は、ｘ方向に、出射光の間隔ｄ１よりも小さいｄ７だけ離れる。以上を一般的に言えば、反射ミラーが出射光Ｌ１を反射可能な位置に支持されるよう、ミラー支持体１７に第一支持面１７Ａが形成されればよい。
【００６６】
〈６〉本実施形態では、図３に示すように、ミラー支持体１７には、隣り合う第一支持面１７Ａの中央が、ｙ方向に、ｄ５だけ離れるがこれに限らない。例えば図１２の反射ミラー１５ｃのように、隣り合う第一支持面１７Ａの中央が光軸方向にｄ５より大きいｄ８だけ離れるよう第一支持面１７Ａが形成されても良いし、反射ミラー１５ｄのように、ｄ５より小さいｄ９だけ離れるよう第一支持面１７Ａが形成されても良い。なお、間隔ｄ９が余りに小さくなると、反射ミラー１５ｄが反射光Ｌ２の進行を妨げてしまう。そのため、少なくとも反射ミラー１５ｄが反射光Ｌ２の進行を妨げない程度の間隔を設ける必要がある。以上をより一般的に言うと、反射光Ｌ２が出射光Ｌ１の間隔よりも小さい間隔で進行するように、かつ、反射ミラー１５が反射光Ｌ２の進行を遮らないように、ミラー支持体１７に第一支持面１７Ａが形成されればよい。
【００６７】
〈７〉光源装置１の一例として、集光された反射光Ｌ２の一部を蛍光（例えば、波長が５２５〜５７５ｎｍにピークを持ち、４５０〜８００ｎｍにかけた広い可視域のスペクトルを持った黄緑色の光）に変換する蛍光素子を備え、蛍光素子による変換後の蛍光と、反射光Ｌ２との混光である白色光を光源装置１の外部に出射する構成を採用することができる。
【符号の説明】
【００６８】
１      ：    光源装置
１１      ：    光源部
１１ａ      ：    半導体レーザ素子
１５      ：    反射ミラー
１５Ａ      ：    反射面
１５Ｂ      ：    裏面
１５Ｃ      ：    側面
１５ａ、１５ｂ、１５ｃ、１５ｄ      ：    別実施形態の反射ミラー
１５１      ：    角部
１７      ：    第一実施形態のミラー支持体
１７Ａ      ：    第一実施形態の第一支持面
１７Ｂ      ：    第一実施形態の第二支持面
１７１      ：    角部
１９      ：    第二実施形態のミラー支持体
１９Ａ      ：    第二実施形態の第一支持面
１９Ｂ      ：    第二実施形態の第二支持面
１９Ｃ      ：    曲面
２４      ：    溝部
２９Ａ      ：    別実施形態の支持面
２７、２９、３１      ：    別実施形態のミラー支持体
２７Ａ、３１Ａ、３３Ａ      ：    別実施形態の第一支持面
２７Ｂ、３１Ｂ、３３Ｂ      ：    別実施形態の第二支持面
３１Ｃ、３３Ｃ      ：    別実施形態の曲面
Ｌ１      ：    出射光
Ｌ２      ：    反射光
【図１】
2017050133.tif 000003
【図２】
2017050133.tif 000004
【図３】
2017050133.tif 000005
【図４】
2017050133.tif 000006
【図５】
2017050133.tif 000007
【図６】
2017050133.tif 000008
【図７】
2017050133.tif 000009
【図８】
2017050133.tif 000010
【図９】
2017050133.tif 000011
【図１０】
2017050133.tif 000012
【図１１】
2017050133.tif 000013
【図１２】
2017050133.tif 000014
【図１３】
2017050133.tif 000015
【図１４】
2017050133.tif 000016
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
平行に進行する出射光を出射する複数の発光素子を含む光源部と、
前記出射光を反射する複数の反射ミラーと、
前記反射ミラーによる反射光が前記出射光の間隔よりも小さい間隔で平行に進行するように複数の前記反射ミラーを支持するミラー支持体と、を有し、
前記ミラー支持体は、前記反射ミラーの面のうち前記出射光を反射する反射面とは異なる複数の面を支持し、
前記反射ミラーは、前記反射面に対向する裏面と、前記反射面及び前記裏面とは異なる側面とを有し、
前記ミラー支持体は、前記反射ミラーの前記裏面を支持する第一支持面、及び前記反射
ミラーの前記側面を支持する第二支持面を有し、
前記ミラー支持体は、前記第一支持面及び前記第二支持面に挟まれる領域において、前記反射ミラーと離間していることを特徴とする光源装置。
【請求項２】
前記第一支持面は、前記反射ミラーの前記裏面の一部を支持し、
前記第二支持面は、前記反射ミラーの前記側面の一部を支持し、
前記ミラー支持体は、前記反射ミラーの前記裏面のうちの前記第一支持面に支持されない領域と、前記反射ミラーの前記側面のうちの前記第二支持面に支持されない領域とを含む前記反射ミラーの角部を収容する溝部を有することを特徴とする請求項１に記載の光源装置。
【請求項３】
平行に進行する出射光を反射する複数の反射ミラーを支持するミラー支持体であって、
前記反射ミラーの面のうち前記出射光を反射する反射面とは異なる複数の面を支持する複数の支持面を有し、
複数の前記支持面に挟まれる領域において、前記反射ミラーの角部を収容する溝部を有することを特徴とするミラー支持体。